(57)【特許請求の範囲】
【請求項１】
複数の回線を収容する電話交換システムの可視表示部を有し、ページ切り替えにより所定ページを表示可能な端末装置において、
前記複数の回線を数回線づつページ分割して登録する手段と、
前記回線毎に、前記可視表示部の滅火状態を解除させるか否かの情報を記憶する記憶手段と、
前記端末装置が一定の時間無操作を検知した場合に、前記可視表示部を滅火する手段と、
前記端末装置の可視表示部が滅火状態で、前記複数の回線のいずれかに着信があった場合に、前記記憶手段に前記回線毎に記憶されている当該滅火状態を解除させるか否かの情報が、滅火状態を解除させる情報のときには、前記可視表示部の滅火状態を解除すると共に、当該着信した回線が登録されているページを前記可視表示部に表示する手段と、
を備えたことを特徴とする端末装置。
【請求項２】
前記端末装置の可視表示部の滅火中状態を表示する表示手段を備えたことを特徴とする請求項１に記載の端末装置。
【請求項３】
複数の回線を収容する電話交換システムの可視表示部を有し、ページ切り替えにより所定ページを表示可能な端末装置の表示方式において、
前記複数の回線を数回線づつページ分割して登録し、
前記回線毎に、前記可視表示部の滅火状態を解除させるか否かの情報を記憶し、
前記端末装置が一定の時間無操作を検知した場合に、前記可視表示部を滅火し、
前記端末装置の可視表示部が滅火状態で、前記複数の回線のいずれかに着信があった場合に、前記記憶手段に前記回線毎に記憶されている当該滅火状態を解除させるか否かの情報が、滅火状態を解除させる情報のときには、前記可視表示部の滅火状態を解除すると共に、当該着信した回線が登録されているページを前記可視表示部に表示することを特徴とする端末装置の表示方式。
【請求項４】
前記端末装置の可視表示部の滅火中状態を表示ことを特徴とする請求項３に記載の端末装置の表示方式。
【発明の詳細な説明】
【０００１】
【発明の属する技術分野】
本発明は、電話交換システムを構成する可視表示部を有する端末装置および該端末装置の表示方式に関する。
【０００２】
【従来の技術】
従来の電話交換システムを構成する例えばディーリング端末装置などの可視表示部を有する端末装置は、電源の開閉を機械的スイッチにより行っているので、電源断の状態では端末装置の制御が完全に停止して、交換機からの回線状態通知も受信できなくなっている。したがって、この端末装置は、電源を再投入した時に、電源断の状態で着信した最新の回線状態を可視表示部に表示できなくなってしまう。このような不都合のないように、従来の端末装置は、システム運用中電源を切れない構成とされているので、可視表示部の焼き付きが起こり消耗が激しいという問題が有った。また、端末装置が未使用の状態でも電力を消費するという問題を有していた。
【０００３】
【発明が解決しようとする課題】
本発明は、電話交換システムを構成する可視表示部を有する端末装置の可視表示部の焼き付きを防ぎ、端末装置の未使用状態での消費電力を低減できる可視表示部を有する端末装置および該端末装置の表示方法を提供することを目的とする。また、本発明は、扱い者の意志もしくは回線への着信によって可視表示部を復活するとともに可視表示部に着信回線が記載されているページを表示して、効率的な操作を促すことのできる可視表示部を有する端末装置および該端末装置の表示方式を提供することを目的とする。
【０００４】
【課題を解決するための手段】
請求項１の発明は、複数の回線を収容する電話交換システムの可視表示部を有し、ページ切り替えにより所定ページを表示可能な端末装置において、前記複数の回線を数回線づつページ分割して登録する手段と、前記回線毎に、前記可視表示部の滅火状態を解除させるか否かの情報を記憶する記憶手段と、前記端末装置が一定の時間無操作を検知した場合に、前記可視表示部を滅火する手段と、前記端末装置の可視表示部が滅火状態で、前記複数の回線のいずれかに着信があった場合に、前記記憶手段に前記回線毎に記憶されている当該滅火状態を解除させるか否かの情報が、滅火状態を解除させる情報のときには、前記可視表示部の滅火状態を解除すると共に、当該着信した回線が登録されているページを前記可視表示部に表示する手段と、を備えたことを特徴とする。
【０００５】
請求項２の発明は、請求項１の端末装置において、可視表示部の滅火中状態を表示する表示手段を備えたことを特徴とする。
【０００９】
請求項３の発明は、複数の回線を収容する電話交換システムの可視表示部を有し、ページ切り替えにより所定ページを表示可能な端末装置の表示方式において、前記複数の回線を数回線づつページ分割して登録し、前記回線毎に、前記可視表示部の滅火状態を解除させるか否かの情報を記憶し、前記端末装置が一定の時間無操作を検知した場合に、前記可視表示部を滅火し、前記端末装置の可視表示部が滅火状態で、前記複数の回線のいずれかに着信があった場合に、前記記憶手段に前記回線毎に記憶されている当該滅火状態を解除させるか否かの情報が、滅火状態を解除させる情報のときには、前記可視表示部の滅火状態を解除すると共に、当該着信した回線が登録されているページを前記可視表示部に表示することを特徴とする。
【００１０】
請求項４の発明は、請求項３の端末装置の表示方式において、可視表示部の滅火中状態を表示ことを特徴とする。
【００１５】
（作用）
本発明によれば、電話交換システムに使用する端末装置の可視表示部を端末装置の不使用時に滅火して（スクリーンセイバー機能）、可視表示部の焼き付きを防ぎ、端末装置が使用されていないときの消費電力を低減できる。また、扱い者の操作または端末装置に収容された回線への着信によって可視表示部を復活するとともに、着信回線が記載された目的のページを可視表示部に表示することによって、効率的な操作ができる。
【００１６】
【発明の実施の形態】
以下、本発明の実施の形態を図面を参照して詳細に説明する。
この発明は、端末装置が所定時間使用されていないことを検出すると可視表示部を滅火してスクリーンセイバー状態に移行するようにした端末装置を対象にしている。
図１を用いて、本発明にかかる可視表示部を有する端末装置が使用される電話交換システムの構成例を説明する。
【００１７】
図１において、本発明にかかる電話交換システムは、交換装置１と、交換装置１に接続ケーブル６１を介して接続される複数の端末装置３と、交換装置１に通信ケーブル６２，ターミナルアダプタ（ＴＡ）７２，接続ケーブル６３を介して接続されるデータ管理端末７１と、交換装置１のトランク（ＴＲＫ）１４に収容される局線回線、ホットライン、支店回線などの通信回線５とから構成される。
【００１８】
交換装置１は、通話路スイッチ（ＳＷ）１１と、専用内線回路（ＤＬＩＮ）１２と、Ｉインタフェース内線回路（ＩＬＩＮ）１３と、トランク（ＴＲＫ）１４と、中央制御装置（ＣＣ）１５と、記憶装置（ＭＭ）１６と、制御系バス１７とを有して構成される。
【００１９】
専用内線回路１２とＩインタフェース内線回路１３とトランク１４は、通話路スイッチ１１の入出力ポートに接続される。また、中央制御装置１５と記憶装置１６は、制御系バス１７を介して相互に接続されるとともに通話路スイッチ１１に接続される。
【００２０】
ディーリング端末装置などの可視表示部を有する端末装置３は、接続ケーブル６１を介して専用内線回路１２接続され、通話路スイッチ１１に収容される。端末装置３と専用内線回路１２の間は、音声信号、および呼制御信号を送受信する接続ケーブル６１で結ばれている。専用内線回路１２は、接続ケーブル６１を介して端末装置３を接続制御する。
【００２１】
データ管理端末７１は、端末装置３の可視表示部を自動解除するための回線に対するデータあるいは回線名称データの投入や修正を行う手段であり、汎用インタフェースを使用して、通信ケーブル６２を介してターミナルアダプタ７２と接続され、さらに、接続ケーブル６３を介して交換装置１のＩインタフェース内線回路１３と接続され、通話路スイッチ１１に収容される。
【００２２】
トランク１４は、局線回線、ホットライン、支店回線などの通信回線を収容し、それらを接続制御する。
【００２３】
中央制御装置１５は、電話交換装置１全体を制御する。
記憶装置１６は、中央制御装置１５が電話交換装置１を制御するためのプログラム、局データ、および各種テーブルを記憶する手段であり、制御系バス１７を介して中央制御装置１５および、通話路スイッチ１１に接続されている。
【００２４】
図２を用いて、本実施の形態にかかる可視表示部を有する端末装置３の盤面の概要を説明する。
端末装置３の盤面には、通話用ハンドセット３１と、ダイヤルキー群３２と、可視表示部３３と、‘前ページ’釦３４と、‘後ページ’釦３５と、回線対応釦３６−１（Ｋ１）〜３６−ｎ（Ｋｎ）と、ランプ３７が配置されている。
【００２５】
端末装置３は、自己の端末装置に収容する回線を数回線づつページ分割して登録する機能を有しており、‘前ページ’釦３４、‘後ページ’釦３５の操作等によってページを切り替えて所定のページを可視表示部３３に表示し、回線番号や、回線名称（相手名称）を表示する。
【００２６】
図３を用いて、図２に示した盤面構成を有する端末装置３のハードウェア構成を説明する。
【００２７】
端末装置３は、盤面に配置された通話用ハンドセット３１と、ダイヤルキー群３２と、可視表示部３３と、‘前ページ’釦３４と、‘後ページ’釦３５と、回線対応釦３６−１（Ｋ１）〜３６−ｎ（Ｋｎ）と、ランプ３７に加えて、呼制御プロセッサ（ＭＰＵ）３８、制御バス３９、一次記憶装置（ＲＡＭ）３Ａ、固定記憶装置（ＲＯＭ）３Ｂ、キースキャンインタフェース３Ｃ、受信バッファ３Ｄ、送信バッファ３Ｅ、呼制御メッセージ送受信バッファ３Ｆ、ＩＳＤＮ基本インタフェースの音声、またはデータ用のチャネル（Ｂチャネル）３Ｇ、画面コントローラ３Ｈ、画面メモリ３Ｊ、ＩＳＤＮ基本インタフェースの信号用チャネル（Ｄチャネル）３Ｋ、ランプドライバ３Ｌなどを有して構成される。
【００２８】
通話用ハンドセット３１は、通話路スイッチ１１と通信回線５を介して、相手方の端末装置と通話する装置である。すなわち、通話用ハンドセット３１は、ＩＳＤＮ基本インタフェースの音声、またはデータ用のチャネル（Ｂチャネル）３Ｇに接続され、さらに、交換装置１の専用内線回路１２を介して通話路スイッチ１１に接続されている。
【００２９】
ダイヤルキー群３２は、ダイヤルアップなどに使用する押し釦キー群である。
【００３０】
可視表示部３３は、例えばＥＬディスプレイ、ＣＲＴなどから構成され、キャラクタおよびグラフィック表示が可能とされており、相手先名称や個人名などの回線名称などを表示する。
【００３１】
‘前ページ’釦３４は、可視表示部３３に表示されたページを戻して前ページを表示させるキーを操作する釦である。
【００３２】
‘後ページ’釦３５は、可視表示部３３に表示されたページをページ送りして次ページを表示させるキーを操作する釦である。
【００３３】
回線対応釦３６−１（Ｋ１）〜３６−ｎ（Ｋｎ）は、自己の端末装置に収容する回線に対応した選択キーを操作する釦である。特定の釦を押し下げることによって所定の回線を選択して通話することができる。
【００３４】
ランプ３７は、端末装置３の可視表示部３３が滅火中であるか否かを可視表示するものであり、ディスプレイが滅火中あれば点滅し、ディスプレイが滅火中でなければ滅火している。
ランプの点滅または滅火によってディスプレイの滅火状態を可視表示することで、扱い者に端末装置３のディスプレイの状態を通知することができる。
【００３５】
呼制御プロセッサ（ＭＰＵ）３８は、交換装置１との間で呼を制御するとともに、端末装置１全体の動作を制御する。
【００３６】
呼制御プロセッサ（ＭＰＵ）３８、一次記憶装置（ＲＡＭ）３Ａ、固定記憶装置（ＲＯＭ）３Ｂ、キースキャンインタフェース３Ｃ、呼制御メッセージ送受信バッファ３Ｆ、画面コントローラ３Ｈ、ランプドライバ３Ｌは、それぞれ制御バス３９に接続されて相互に接続される。
【００３７】
制御バス３９は、一次記憶装置３Ａと、固定記憶装置３Ｂと、キースキャンインタフェース３Ｃ、呼制御メッセージ送受信バッファ３Ｆと、画面コントローラ３Ｈと、ランプドライバ３Ｌとを呼制御プロセッサ（ＭＰＵ）３８に接続する。
【００３８】
一次記憶装置３Ａは、回線名称等のデータを含む局データ、すなわち、納入局毎に異なるデータのほか、話中状態などのデータを格納する。
【００３９】
固定記憶装置３Ｂは、呼制御プログラムや固定データ、スクリーンセイバー制御プログラムなどを記憶する。
【００４０】
キースキャンインタフェース３Ｃは、ダイヤルキー群３２、回線対応釦３６−１〜３６−ｎ、前ページ釦３４、後ページ釦３５のキーを走査してその開閉状態を検出する。
【００４１】
受信バッファ３Ｄは、交換装置１に収容される回線の状態を示す呼制御メッセージをＤチャネル３Ｋを介して受信する。
送信バッファ３Ｅは、交換装置１に対して端末装置３の操作内容などを示す呼制御メッセージをＤチャネル３Ｋを介して送信する。
【００４２】
呼制御メッセージ送受信バッファ３Ｆは、交換装置１と端末装置３との間で交換されるデータを一時保持する緩衝用メモリとして働く。
【００４３】
データ用チャネル（Ｂチャネル）３Ｇは、ＩＳＤＮ基本インタフェースの音声、またはデータを伝送するチャネルである。
【００４４】
画面コントローラ３Ｈは、可視表示部３３の画面表示などの動作を制御する。
【００４５】
画面メモリ３Ｊは、可視表示部３３の画面に、グラフィック、あるいはキャラクタ文字（キー枠、回線名称等）を表示するためのデータを格納する。
【００４６】
信号用チャネル（Ｄチャネル）３Ｋは、ＩＳＤＮ基本インタフェースの制御信号を伝送するチャネルである。
【００４７】
ランプドライバ３Ｌは、呼制御プロセッサ３８からの可視表示部の滅火状態を表示する指令に基づいてランプ３７を点滅駆動する。
【００４８】
呼制御メッセージ送受信バッファ３Ｆは、交換装置１との間で呼制御メッセージの送受信を行うもので、全て呼制御プログラムにより制御されている。
呼制御メッセージ送受信バッファ３Ｆには、受信バッファ３Ｄと、送信バッファ３Ｅが接続され、ＩＳＤＮ基本インタフェースの信号用チャネル（Ｄチャネル）３Ｋを介して、接続ケーブル６１に接続される。
呼制御メッセージ送受信バッファ３Ｆは、Ｄチャネル３Ｋ、受信バッファ３Ｄを介して、交換装置１に収容される回線の状態を示す呼制御メッセージを受信する。さらに、呼制御メッセージ送受信バッファ３Ｆは、交換装置１に対して端末装置３の操作内容などを示す呼制御メッセージを、送信バッファ３Ｅ、Ｄチャネル３Ｋを介して送信する。
【００４９】
画面コントローラ３Ｈは、可視表示部３３の画面にグラフィック、あるいはキャラクタ文字（キー枠、回線名称等）を表示するためのデータを格納する画面メモリ３Ｊと接続されている。
画面メモリ３Ｊの内容は、呼制御プロセッサ３８が画面コントローラ３Ｈ経由で書き込み、画面コントローラ３Ｈが可視表示部３３への表示処理を行う。
画面メモリ３Ｊに書き込まれるデータは、着信回線のデータが記載されたページデータとすることができる。
【００５０】
図４を用いて、可視表示部の画面メモリ３Ｊに収容される個々の回線データＬｄの構成を説明する。
可視表示部の画面メモリ３Ｊに収容される個々の回線データＬｄは、交換装置１に収容されたデータ管理端末７１からダウンロードされ、端末装置３の内部の一時記憶装置（ＲＡＭ）３Ａに記憶されている。回線のデータは、データ管理端末７１により入力され、交換装置１に収容された全端末装置にダウンロードされるが、その手段については本発明と関係がないので説明を省略する。
【００５１】
図４の回線データＬｄは、回線番号データＬｄ１と、着信解除識別データＬｄ２と、回線名称データＬｄ３とから構成され、各回線単位に設定される。
【００５２】
回線番号データＬｄ１は、交換装置に収容される回線番号データである。
【００５３】
着信解除識別データＬｄ２は、電話交換システムからの着信の回線状態通知が有ったときに、この通知によって、可視表示部を点灯させるか滅火状態を維持するかを判断するためのデータである。
すなわち、着信解除識別データＬｄ２は、一般の回線に着信したときにはスクリーンセイバーの動作は維持され、特定の回線に着信したときにのみスクリーンセイバーの動作を解除するためのデータであり、回線毎に設定されている。
着信解除識別データＬｄ２は、データ管理端末７１からの入力の他に、端末装置３において、扱い者が任意に設定することが可能となっており、頻繁に扱う回線に設定することで、可視表示部の復活が行われ、容易に運用が行われる。
【００５４】
回線名称データＬｄ３は、回線番号データＬｄ１の番号に対応して可視表示部３３に回線名称として表示するための回線名称データである。
【００５５】
図５を用いて、本発明にかかる可視表示部を有する端末装置３の機能構成を説明する。
端末装置３は、端末使用状態検出機能３０１と、可視表示部滅火・復活処理機能３０２と、回線着信検出機能３０３と、着信回線識別機能３０４と、自動解除機能３０５と、手動解除機能３０６と、表示ページ選択機能３０７と、滅火状態表示機能３０８と、可視表示部制御機能３０９とを有して構成される。
【００５６】
端末使用状態検出機能３０１は、スクリーンセイバープログラム起動時に、端末装置が通話中であるか、スクリーンセイバーが設定されているか、端末装置のキーに入力があるかなどを監視して端末装置の使用状態を判断し、所定期間端末装置を使用する状態が検出されないときに使用状態にないとする。
【００５７】
可視表示部滅火・復活処理機能３０２は、端末装置が使用状態にないときに可視表示部制御機能３０９の点灯を滅火するスクリーンセイバー処理を実行し、また起動指令があったときに可視表示部の再点灯を実行する。
【００５８】
回線着信検出機能３０３は、端末装置３への着信を監視し、着信回線番号を認識する。
【００５９】
着信回線識別機能３０４は、回線着信検出機能３０３が認識した回線番号を用いて回線データＬｄの着信解除識別データＬｄ２を参照して、スクリーンセイバーを回線着信によって解除するか否かを判断する処理を実行する。
【００６０】
自動解除機能３０５は、着信した回線がスクリーンセイバーを解除する回線であるときに、スクリーンセイバーを自動解除する処理を実行する。
【００６１】
手動解除機能３０６は、取扱者が復活を指示するキーを操作したときにスクリーンセイバーを解除する処理を実行する。
【００６２】
表示ページ選択機能３０７は、自動解除処理が行われるときには、着信回線の回線データＬｄの着信回線名称データＬｄ３を読み出す処理を実行する。表示ページ選択機能３０７は、手動解除処理が行われるときは、スクリーンセイバーが実行される前に表示されていたページを読み出す処理を実行する。
【００６３】
滅火状態表示機能３０８は、スクリーンセイバーが機能しているときに、盤面のランプを点滅させる処理を行う。
【００６４】
可視表示部制御機能３０９は、表示部滅火・復活機能３０２からの指示、または表示ページ選択機能３０７からの指示に基づいて、可視表示部３３の点灯または滅火、もしくはデータ表示の処理を実行する。
【００６５】
図６を用いて、本発明にかかるスクリーンセイバー制御の処理内容の概要を説明する。
スクリーンセイバー制御プログラムは、端末装置３の固定記憶装置（ＲＯＭ）３Ｂに記憶されているオンラインプログラムである。
【００６６】
スクリーンセイバー制御プログラムＰ２は、割込制御プログラムＰ１によって所定の周期で起動される周期プログラムの一つである。
所定の時間間隔で割込制御プログラムＰ１が起動されると、スクリーンセイバー制御プログラムＰ２が起動される。
スクリーンセイバー制御プログラムＰ２が起動されると、現在スクリーンセイバー中か否かを判断する（Ｓ１）。
既にスクリーンセイバー中の場合には、本制御プログラムは何も処理を行わず終了となる。
【００６７】
ステップＳ１でオンライン中の場合には、ＫＥＹ入力が有るか否かを判断する（Ｓ２）。
ＫＥＹ入力が有った場合は、ワークエリアのスクリーンセイバーフラグ（ＳＣＲＦＬＧ）をクリアする（Ｓ４）。
同時に一定時間の監視用のカウンタもクリアして（Ｓ５）、処理を終了する。
【００６８】
ステップＳ１での判断の結果、ＫＥＹ入力が無い場合は、現在の端末装置が使用中か未使用かを判断する（Ｓ３）。この判断は、通話中に無条件でスクリーンセイバー状態に移行すると運用上支障が有るのでこれを避けるために行う処理である。
【００６９】
ステップＳ３の判断の結果、端末装置が使用中の場合は、ステップＳ２でＫＥＹ入力有りの場合と同様の処理（Ｓ４，Ｓ５）を行い、スクリーンセイバー制御プログラムを終了する。
【００７０】
ステップＳ３の判断の結果、端末装置が未使用中の場合は、未使用時間が一定の時間の規定値を満たしているか否かを判断する（Ｓ６）。
規定値未満の場合はカウンタを更新して処理を終了する（Ｓ７）。
規定値が、あらかじめ決められた値を満足する場合は端末装置３の可視表示を滅火するスクリーンセイバー起動要求を行う（Ｓ８）。起動要求は非周期プログラムとしている。
【００７１】
スクリーンセイバー起動要求の非周期プログラムは、実行管理プログラムＰ３により、ランプ制御プログラムＰ４及び画面制御プログラムＰ５が起動される。
【００７２】
ランプ制御プログラムＰ４では、ランプのカラー及びインター値を設定し（Ｓ１１）、ランプ制御を行う（Ｓ１２）。このランプ制御によりランプの可視表示を行い、扱い者にスクリーンセイバー中であることを通知できる。
【００７３】
画面制御プログラムＰ５では、スクリーンセイバーが起動中のＦＬＧを設定する（Ｓ２１）。その後可視表示のみを滅火する（Ｓ２２）。
【００７４】
図７を用いて、スクリーンセイバー中に画面を復活する場合の復活処理について説明する。図７は、スクリーンセイバー起動中から画面を復活する処理のフローチャートである。スクリーンセイバーの復活は、手動による任意のキー操作による復活処理及び交換システムからの回線着信による復活処理がある。
【００７５】
割込制御プログラムＰ１により周期プログラムのキー制御プログラムＰ６が起動される。
キー監視を行いキー入力が行われたか否かを判断する（Ｓ３１）。キー入力が無い場合は、そのまま処理を終了し、キー入力が有る場合はワークエリアのスクリーンセイバーフラグ（ＳＣＲＦＬＧ）に‘１’を設定後（Ｓ３２）、キー押し処理起動要求を行い（Ｓ３３）、処理を終了する。
【００７６】
また、交換システムからの回線状態通知を受信すると、割込制御プログラムＰ１は、周期プログラムのメッセージ制御プログラムＰ７を起動する。
メッセージ制御プログラムＰ７は、交換システムよりの各種メッセージを受信し解析を行う。メッセージの内容が回線状態通知で、かつ着信か否かを判断する（Ｓ４１）。
【００７７】
回線状態通知以外及び通知内容が着信以外の場合は、回線着信起動処理（Ｓ４５）へスキップする。
回線状態通知が着信の場合には、着信対象回線データより着信解除識別データＬｄ２を抽出し（Ｓ４２）、今回の着信がスクリーンセイバーを復活させる対象回線か否かを判断する（Ｓ４３）。
対象外は回線着信起動処理（Ｓ４５）へスキップする。ステップＳ４３で対象の場合はワークエリアのスクリーンセイバーフラグ（ＳＣＲＦＬＧ）に‘２’を設定し（Ｓ４４）、回線着信起動要求を行う（Ｓ４５）。
キー制御プログラムＰ６のキー押し処理起動要求（Ｓ３３）、及びメッセージ制御プログラムＰ７の回線着信起動要求（Ｓ４５）により、実行管理プログラムＰ３により非周期プログラムの画面制御プログラムＰ８が起動される。
【００７８】
画面制御プログラムＰ８は、現在スクリーンセイバー中か否かを判断し（Ｓ５１）、スクリーンセイバー中以外（オンライン中）の場合には、処理はそのまま終了する。また、スクリーンセイバー中には、ワークエリア（ＳＣＲＦＬＧ）を判断する（Ｓ５２）。
ワークエリアにはキー押しによるスクリーンセイバー解除か、任意の回線着信による解除かを判断する値が設定されており、キー押しによる解除の場合にはワークエリア（ＳＣＲＦＬＧ）をクリアし（Ｓ５３）、スクリーンセイバー中のＦＬＧをクリアし（Ｓ５４）、スクリーンセイバーの状態に入る前のページ、ラストページの画面でスクリーンセイバーから復活させる（Ｓ５５）。
【００７９】
ステップＳ５２でワークエリア（ＳＣＲＦＬＧ）がキー押し以外の場合には、ワークエリア（ＳＣＲＦＬＧ）の値が回線着信による自動解除か否か、すなわちＳＣＲＦＬＧが２であるか否かを判断する（Ｓ５６）。
ワークエリア（ＳＣＲＦＬＧ）の設定値が‘２’の以外の場合は、処理を終了する。
また、設定値が‘２’の場合には、ワークエリア（ＳＣＲＦＬＧ）をクリアし（Ｓ５７）、スクリーンセイバー中のＦＬＧをクリアする（Ｓ５８）。
次に、着信回線の収容される可視表示のページ番号を抽出し（Ｓ５９）、そのページ番号により、着信回線を収容しているページでスクリーンセイバーからの復活を行う（Ｓ６０）。
【００８０】
回線着信により自動的に復活した際に、着信回線とまったく無関係のページを表示すると、扱い者が‘前ページ’３４及び‘後ページ’３５によりページ戻し、ページ送りを行うようになり、着信回線に対して即、応答できなくなり、操作性が悪くなる。
【００８１】
回線着信により自動的に復活した場合には、収容ページを表示することにより扱い者に即応答を促すことができる。
【００８２】
【発明の効果】
以上により、電話交換システムの可視表示部を有する端末装置の可視表示部の焼き付きを防ぎ、端末装置が未使用中には消費電力を低減でき、また扱い者の意志で可視表示部を復活することができるとともに目的のページを表示するため効率的な操作ができる。
【図面の簡単な説明】
【図１】本発明にかかる端末装置が用いられる電話交換システムの構成を示す概念図。
【図２】本発明にかかる端末装置の盤面の形状を示す図。
【図３】本発明にかかる端末装置の機能構成を示すブロック図。
【図４】本発明にかかる端末装置に収容される回線のデータ構成図。
【図５】本発明にかかる端末装置の機能構成を示す機能ブロック図。
【図６】本発明にかかる端末装置におけるスクリーンセイバー起動時のプログラム概要図。
【図７】本発明にかかる端末装置におけるスクリーンセイバー復活時のプログラム概要図。
【符号の説明】
１  交換装置
１１  通話路スイッチ
１２  専用内線回路（ＤＬＩＮ）
１３  Ｉインタフェース内線回路（ＩＬＩＮ）
１４  トランク（ＴＲＫ）
１５  中央制御装置（ＣＣ）
１６  記憶装置（ＭＭ）
１７  制御系バス
３  端末装置
３１  通話用ハンドセット
３２  ダイヤルキー群
３３  可視表示部
３４  ‘前ページ’釦
３５  ‘後ページ’釦
３６  回線対応釦
３７  ランプ
３８  呼制御プロセッサ（ＭＰＵ）
３９  制御バス
３Ａ  一次記憶装置（ＲＡＭ）
３Ｂ  固定記憶装置（ＲＯＭ）
３Ｃ  キースキャンインタフェース
３Ｄ  受信バッファ
３Ｅ  送信バッファ
３Ｆ  呼制御メッセージ送受信バッファ
３Ｇ  Ｂチャネル
３Ｈ  画面コントローラ
３Ｊ  画面メモリ
３ｋ  Ｄチャネル
３Ｌ  ランプドライバ
５  通信回線
６１  接続ケーブル
６２  通信ケーブル
６３  接続ケーブル
７１  データ管理端末
７２  ターミナルアダプタ（ＴＡ）
Ｌｄ  回線データ
Ｌｄ１  回線番号データＬｄ１
Ｌｄ２  着信解除識別データ
Ｌｄ３  回線名称データ
Ｐ１  割込制御プログラム
Ｐ２  スクリーンセイバー制御プログラム
Ｐ３  実行管理プログラム
Ｐ４  ランプ制御プログラム
Ｐ５  画面制御プログラム
Ｐ６  キー制御プログラム
Ｐ７  メッセージ制御プログラム
Ｐ８  画面制御プログラム
【図１】
0003872924.tif 000002
【図２】
0003872924.tif 000003
【図３】
0003872924.tif 000004
【図４】
0003872924.tif 000005
【図５】
0003872924.tif 000006
【図６】
0003872924.tif 000007
【図７】
0003872924.tif 000008